(57)【特許請求の範囲】
【請求項１】
カセットシェルの内部を外部から視認可能な覗き窓がカセットシェルの内面に取着されたテープカセットであって、
カセットシェルは配置孔とカセットシェルの内面側に形成された位置決め部とを有し、
覗き窓は上記配置孔に配置される透視部と該透視部の周縁から張り出されると共に均一の張出幅に形成され配置孔の内側開口縁に取り付けられる被取付部とを有し、
覗き窓には、被取付部の透視部に対する張出方向と同じ方向に被取付部から突出されると共に透視部の中央部を基準として対称な位置に形成された少なくとも２つの位置決め突部が設けられ、
カセットシェルには、上記位置決め突部が挿入されると共に該位置決め突部の周面に対向する囲い面を有する位置決め部が形成され、
覗き窓は、透視部がその外周面と上記配置孔の周面との間に予め所定の第１のクリアランスを有して形成されると共に位置決め突部がその周面と上記囲い面との間に予め所定の第２のクリアランスを有して形成され、第１のクリアランスが第２のクリアランスより大きくされた
ことを特徴とするテープカセット。
【発明の詳細な説明】
【０００１】
【発明の属する技術分野】
本発明はテープカセットについての技術分野に関する。詳しくは、カセットシェルの内部を外部から視認可能な覗き窓がカセットシェルの内面に取着されたテープカセットについての技術分野に関する。
【０００２】
【従来の技術】
テープカセットは、通常、カセットシェル内に一対のテープリールが回転自在に支持されて成り、このようなテープカセットには、テープリールに対する磁気テープの巻回状態をカセットシェルの外部から視認できる覗き窓が設けられているものがある。
【０００３】
図１１乃至図１３は、従来のテープカセットにおけるカセットシェル（上シェル）と覗き窓を示したものである。
【０００４】
上シェルａには、一対のテープリールが支持される箇所に対応するように横長の配置孔ｂが形成され、該配置孔ｂの開口縁のうち上シェルａの内面側の部分が取付部ｃとして形成されている（図１１参照）。
【０００５】
覗き窓ｄは、上シェルａの配置孔ｂに対応する形状に形成され、配置孔ｂに配置される透視部ｅと該透視部ｅの周縁から張り出され張出幅が均一にされた被取付部ｆとが、例えば、透明な樹脂材料によって形成されている（図１２及び図１３参照）。透視部ｅは、その外周面が配置孔ｂの周面と所定のクリアランス、例えば、全周に亘って０．２ｍｍのクリアランスを有するように形成されている。
【０００６】
覗き窓ｄは、被取付部ｆが上シェルａの取付部ｃに、例えば、超音波溶着によって取り付けられ、このように取り付けられた状態において、透視部ｅが配置孔ｂに配置される。
【０００７】
【発明が解決しようとする課題】
ところが、上記した従来のテープカセットにあっては、上シェルａに対する覗き窓ｄの取り付けに際して、配置孔ｂに覗き窓ｄの透視部ｅを嵌め合わせ、透視部ｅの外周面と配置孔ｂの周面との間に全周に亘って所定のクリアランスを設け、配置孔ｂの内法寸法と透視部ｅの外形寸法とによって上シェルａと覗き窓ｄとの間の位置決めを行っている。
【０００８】
この場合、覗き窓ｄが配置孔ｂに対して一方、例えば、図１４に示すＸ１側に寄った状態で上シェルａに取り付けられてしまうと、その反対側の方向であるＸ２側にのみ覗き窓ｄと配置孔ｂの周面との間に隙間が生じ、当該Ｘ２側の隙間が目立ってしまうことから、テープカセットの見栄えが悪く外観上好ましくないものとなってしまう。
【０００９】
一方、覗き窓は、一般に、射出成形によって形成され、ゲートの位置及び離型時に突き出しピンによって突き出される突き出し部が、通常、覗き窓が上シェルに取り付けられたときに外部から見えない箇所である被取付部の一部に設けられる。
【００１０】
ところが、一般に、透視部の周縁から張り出された被取付部は張出幅が比較的小さいものであるため、従来のテープカセットにあっては、サイドゲートを用いゲートの位置を被取付部ｆの周面に設けなければならず、成形後の工程においてゲートカットを人手で行う必要があり、作業に手間がかかり、その分、製造コストが高くなってしまうという問題があった。
【００１１】
また、被取付部ｆの張出幅が小さいために突き出し部として用いることのできる面積も小さく、十分な離型性を確保できないおそれもあった。
【００１２】
そこで、本発明テープカセットは、上記した問題点を克服し、テープカセットの外観性の向上及びテープカセットについての作業性の向上等を図ることを課題とする。
【００１３】
【課題を解決するための手段】
本発明テープカセットは、上記した課題を解決するために、カセットシェルに配置孔とカセットシェルの内面側に形成された位置決め部とを形成し、覗き窓に上記配置孔に配置される透視部と該透視部の周縁から張り出されると共に均一の張出幅に形成され配置孔の内側開口縁に取り付けられる被取付部とを設け、覗き窓に被取付部の透視部に対する張出方向と同じ方向に被取付部から突出されると共に透視部の中央部を基準として対称な位置に少なくとも２つの位置決め突部を設け、カセットシェルに上記位置決め突部が挿入されると共に該位置決め突部の周面に対向する囲い面を有する位置決め部を設け、覗き窓の透視部をその外周面と上記配置孔の周面との間に予め所定の第１のクリアランスを有するように形成すると共に覗き窓の位置決め突部をその周面と上記囲い面との間に予め所定の第２のクリアランスを有するように形成し、第１のクリアランスを第２のクリアランスより大きくしたものである。
【００１４】
従って、本発明テープカセットにあっては、覗き窓が配置孔に対して一方に寄った状態でカセットシェルに取り付けられたとしても、配置孔の他方の側のみに覗き窓と配置孔との間の隙間が生じることがない。
【００１５】
【発明の実施の形態】
以下に、本発明テープカセットの実施の形態を添付図面を参照して説明する。
【００１６】
テープカセット１は、薄い箱状をしたカセットシェル２内にテープ状記録媒体である磁気テープ３を巻装した一対のテープリール４、４が回転可能に収納されて成る（図１参照）。
【００１７】
カセットシェル２は上シェル５と下シェル６とが上下で結合されて成り、カセットシェル２の前端部には、該カセットシェル２の前面に沿って位置する磁気テープ３の前面側を覆うフロントリッド７が回動自在に支持されている（図１及び図２参照）。そして、カセットシェル２にはスライダー８が前後方向へ移動自在に支持され、該スライダー８にはカセットシェル２の前面に沿って位置する磁気テープ３の後側を覆うバックリッド８ａが一体に形成されている（図２参照）。
【００１８】
上シェル５は天板部９と該天板部９の周縁から垂設された外壁部１０とを有し、天板部９の内面にはテープリール４、４を保護するための円弧状リブ９ａ、９ａ、・・・が一体に設けられている（図３参照）。そして、天板部９には、テープリール４、４が支持される箇所に対応して横長の配置孔１１が形成され、該配置孔１１は左右方向における中央部が他の部分より前後方向における幅が小さくされている（図３及び図４参照）。
【００１９】
配置孔１１の内側開口縁には、その全周に亘って取付部１２が形成されている（図３及び図４参照）。取付部１２は、天板部９の他の部分より薄肉に形成されており、段差面１２ａによって囲まれている。また、取付部１２の外周縁には、その一部を除いてリブ１３、１３、・・・が設けられており、該リブ１３、１３、・・・の内面１３ａ、１３ａ、・・・が段差面１２ａと同一平面とされている。
【００２０】
取付部１２の左右両端部には、その前後方向における中央部にそれぞれ位置決め部１４、１４が形成されている（図３及び図４参照）。位置決め部１４、１４はリブ１３、１３の一部が切り欠かれることによって形成され、その底面１４ａ、１４ａが取付部１２と同一平面とされている。従って、位置決め部１４、１４はそれぞれ配置孔１１側に開口されており、前面１５ａ、１５ａ、後面１５ｂ、１５ｂ及び側面１５ｃ、１５ｃによって構成される囲い面１５、１５を有している。この囲い面１５、１５のうちの前面１５ａ、１５ａ及び後面１５ｂ、１５ｂは、リブ１３、１３、１３の一部を為す面である。
【００２１】
覗き窓１６は、上シェル５の配置孔１１に対応する形状に形成され、配置孔１１に配置される透視部１７と該透視部１７の周縁から張り出され張出幅が均一にされた被取付部１８とが、例えば、透明な樹脂材料によって形成されている（図５乃至図８参照）。
【００２２】
覗き窓１６の下面側の外周縁には、その一部を除いて周縁リブ１６ａ、１６ａ、１６ａが設けられている（図６及び図７参照）。
【００２３】
被取付部１８は透視部１７よりも一段低く位置するように形成され、従って、透視部１７の上面は被取付部１８の上面より稍高い位置にある（図６及び図８参照）。被取付部１８には、複数の溶着リブ１８ａ、１８ａ、・・・が形成されている。また、被取付部１８の左右両端部には、その前後方向における中央部、即ち、覗き窓１６の中央部を基準として対称な位置に外方へ突出された位置決め突部１９、１９が設けられている（図５乃至図７参照）。位置決め突部１９、１９は略半円状を為し、その上面が被取付部１８の上面と同一平面とされている。
【００２４】
覗き窓１６は、位置決め突部１９、１９がそれぞれ位置決め部１４、１４に嵌合されて位置決めが為され、被取付部１８に形成された溶着リブ１８ａ、１８ａ、・・・が超音波溶着によって取付部１２に溶着されて上シェル５に取り付けられる（図９参照）。そして、透視部１７は、配置孔１１に配置される。
【００２５】
このとき、上記したように、位置決め突部１９、１９が、覗き窓１６の中央部を基準として対称な位置に設けられているため、上シェル５に対する覗き窓１６の位置決め精度の向上を図ることができる。
【００２６】
透視部１７は、その外周面と上シェル５の配置孔１１の周面との間に、全周に亘って予め所定の第１のクリアランスＡを有するように形成され（図１０参照）、この第１のクリアランスＡは、例えば、０．５ｍｍとされている。また、位置決め突部１９、１９は、その周面と囲い面１５、１５の各面１５ａ、１５ａ、１５ｂ、１５ｂ、１５ｃ、１５ｃとの間に予め所定の第２のクリアランスＢを有するように形成され（図１０参照）、この第２のクリアランスＢは、例えば、０．２ｍｍとされている。従って、第１のクリアランスＡは第２のクリアランスＢより大きくされている。
【００２７】
このように、第１のクリアランスＡが第２のクリアランスＢより大きくされていることにより、覗き窓１６が上シェル５の一方の側に寄った状態で取り付けられた場合、例えば、左側に寄って取り付けられた場合であっても、透視部１７の左右両側面と配置孔１１の周面との間には、大きさが異なるもののそれぞれ一定の隙間が生じるため、左右の何れか一方にのみ隙間が生じた場合のように一方の隙間が目立ってテープカセット１の見栄えが悪くなってしまうようなことがなく、テープカセット１が外観上良好なものとなる。
【００２８】
また、覗き窓１６は射出成形によって形成されるが、被取付部１８から突出された幅広の位置決め部１９、１９を有するため、ゲートの位置２０をピンポイントゲートとして位置決め部１９に設けることができる（図７参照）。従って、成形後のゲートカットの後工程を必要とせず、覗き窓１６の成形作業における作業効率の向上を図ることができる。
【００２９】
尚、ゲートは位置決め部１９、１９の双方に設けることも考えられるが、覗き窓１６が透明に形成されることを考慮すると、ウエルドラインの発生を防止するために一方の位置決め部１９にのみゲートの位置２０を設けることが望ましい。
【００３０】
さらに、覗き窓１６にあっては、幅広の位置決め部１９、１９を離型時に突き出しピンによって突き出される突き出し部２１、２１として利用することができる。従って、突き出し部２１、２１として大きな面積を確保することができるため、離型性の向上を図ることができる。
【００３１】
尚、上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００３２】
【発明の効果】
以上に記載したところから明らかなように、本発明テープカセットは、カセットシェルの内部を外部から視認可能な覗き窓がカセットシェルの内面に取着されたテープカセットであって、カセットシェルは配置孔とカセットシェルの内面側に形成された位置決め部とを有し、覗き窓は上記配置孔に配置される透視部と該透視部の周縁から張り出されると共に均一の張出幅に形成され配置孔の内側開口縁に取り付けられる被取付部とを有し、覗き窓には、被取付部の透視部に対する張出方向と同じ方向に被取付部から突出されると共に透視部の中央部を基準として対称な位置に形成された少なくとも２つの位置決め突部が設けられ、カセットシェルには、上記位置決め突部が挿入されると共に該位置決め突部の周面に対向する囲い面を有する位置決め部が形成され、覗き窓は、透視部がその外周面と上記配置孔の周面との間に予め所定の第１のクリアランスを有して形成されると共に位置決め突部がその周面と上記囲い面との間に予め所定の第２のクリアランスを有して形成され、第１のクリアランスが第２のクリアランスより大きくされたことを特徴とする。
【００３３】
従って、第１のクリアランスが第２のクリアランスより大きくされていることにより、覗き窓が上シェルの一方の側に寄った状態で取り付けられた場合であっても、上シェルの他方の側のみならず一方の側にも隙間が生じるため、何れか一方にのみ隙間が生じた場合のように一方の隙間が目立ってテープカセットの見栄えが悪くなってしまうようなことがなく、テープカセットが外観上良好なものとなる。
【００３４】
また、覗き窓の被取付部から突出された位置決め部にピンポイントゲートとしてゲートの位置を設けることができるため、成形後のゲートカットの後工程を必要とせず、覗き窓の成形作業における作業効率の向上を図ることができる。
【００３５】
さらに、位置決め部を離型時に突き出しピンによって突き出される突き出し部として利用することができるため、突き出し部として大きな面積を確保することができ、離型性の向上を図ることができる。
【図面の簡単な説明】
【図１】図２乃至図１０と共に本発明テープカセットの実施の形態を示すものであり、本図はテープカセットの斜視図である。
【図２】フロントリッドが回動された状態を示すテープカセットの斜視図である。
【図３】上シェルを示す概略拡大底面図である。
【図４】上シェルの要部を示す拡大斜視図である。
【図５】覗き窓の拡大平面図である。
【図６】覗き窓の拡大正面図である。
【図７】覗き窓の拡大底面図である。
【図８】図７のＶＩＩＩ―ＶＩＩＩ線に沿う拡大断面図である。
【図９】上シェルに覗き窓が取り付けられた状態を示す拡大底面図である。
【図１０】クリアランスの違いを示す拡大底面図である。
【図１１】図１２及び図１３と共に従来のテープカセットを示すものであり、本図は上シェルの拡大底面図である。
【図１２】覗き窓の拡大平面図である。
【図１３】覗き窓の拡大底面図である。
【図１４】従来の問題点を示す拡大平面図である。
【符号の説明】
１…テープカセット、２…カセットシェル、１１…配置孔、１４…位置決め部、１５…囲い面、１６…覗き窓、１７…透視部、１８…被取付部、１９…位置決め突部
【図１】
0004332769.tif 000002
【図２】
0004332769.tif 000003
【図３】
0004332769.tif 000004
【図４】
0004332769.tif 000005
【図５】
0004332769.tif 000006
【図６】
0004332769.tif 000007
【図７】
0004332769.tif 000008
【図８】
0004332769.tif 000009
【図９】
0004332769.tif 000010
【図１０】
0004332769.tif 000011
【図１１】
0004332769.tif 000012
【図１２】
0004332769.tif 000013
【図１３】
0004332769.tif 000014
【図１４】
0004332769.tif 000015